(57)【特許請求の範囲】
【請求項１】
飼育ケース本体（１）に、収納凹部（１７）が設けられ、この収納凹部（１７）に、小動物の居住空間を形成する部屋ケース（１８）が、飼育ケース本体（１）の外側から着脱できるように嵌合保持され、前記収納凹部（１７）及び部屋ケース（１８）には、小動物が飼育ケース本体（１）内から部屋ケース（１８）内に出入りするための開口窓（２５，２６）が設けられ、前記収納凹部（１７）の開口窓（２５）と部屋ケース（１８）の開口窓（２６）とは、部屋ケース（１８）が収納凹部（１７）に嵌合保持されたときに、互いに近接して連続するように配置され、
前記飼育ケース本体（１）内に、飼育ケース本体（１）内の底部側と前記部屋ケース（１８）内とを連通する通路（４５）を形成するパイプ体（４１）が、設けられ、前記パイプ体（４１）の通路（４５）は、前記収納凹部（１７）の開口窓（２５）及び部屋ケース（１８）の開口窓（２６）を介して、部屋ケース（１８）内に連通され、
部屋ケース（１８）を収納凹部（１７）から取り外したときに、小動物が部屋ケース（１８）からその開口窓（２６）を通して外部に出ることができなくなるように、部屋ケース（１８）の開口窓（２６）を着脱自在に塞ぐ蓋体（２７）が設けられ、
部屋ケース（１８）を収納凹部（１７）から取り外したときに、小動物が飼育ケース本体（１）内からパイプ体（４１）の通路（４５）を通して収納凹部（１７）側に出ることができなくなるように、前記蓋体（２７）は、パイプ体（４１）の部屋ケース（１８）側の開口（４３）を着脱自在に塞ぐように構成されていることを特徴とする小動物用飼育ケース。
【請求項２】
前記収納凹部（１７）が、飼育ケース本体（１）の上面に設けられていることを特徴とする請求項１に記載の小動物用飼育ケース。
【請求項３】
前記飼育ケース本体（１）に回転輪（１１）が設けられ、前記パイプ体（４１）の通路（４５）が、回転輪（１１）内に連通するように形成されていることを特徴とする請求項１に記載の小動物用飼育ケース。
【請求項４】
前記部屋ケース（１８）に、該部屋ケース（１８）を持ち運ぶための取っ手（２９）が設けられていることを特徴とする請求項１に記載の小動物用飼育ケース。
【請求項５】
前記部屋ケース（１８）は、上端が開口した部屋ケース本体（２１）と、部屋ケース本体（２１）の上端開口を塞ぐ蓋部材（２２）とを有していることを特徴とする請求項１に記載の小動物用飼育ケース。
【発明の詳細な説明】
【０００１】
【発明の属する技術分野】
本発明は、リス、ハムスター、プレーリードッグ等の小動物を飼育するための飼育ケースに関するものである。
【０００２】
【従来の技術】
ハムスター、リス等のげっ歯目動物その他の小動物を一般家庭で飼育する場合には、飼育ケースが用いられており、従来の飼育ケースには、飼育ケース本体内の上部等に、小動物の居住空間を形成する部屋を設けると共に、飼育ケース本体内に、飼育ケースの底部側と部屋内とを連通する通路を形成するパイプ体を、設けたものがある。
【０００３】
【発明が解決しようとする課題】
しかし、従来の小動物用飼育ケースでは、部屋を飼育ケース本体から簡単に取り外してその部屋のみを持ち運ぶことができず、従って、従来では、飼育ケース本体内を掃除したりするためには、飼育している小動物を一時的に保管する容器等が別途必要となり、不便であった。また、部屋を掃除する際等にも不便であった。
本発明は、上記問題点に鑑み、小動物の居住空間となる部屋を飼育ケース本体から簡単に取り外して持ち運ぶことができるようにしたものである。
【０００４】
【課題を解決するための手段】
この技術的課題を解決する本発明の技術的手段は、飼育ケース本体１に、収納凹部１７が設けられ、この収納凹部１７に、小動物の居住空間を形成する部屋ケース１８が、飼育ケース本体１の外側から着脱できるように嵌合保持され、前記収納凹部１７及び部屋ケース１８には、小動物が飼育ケース本体１内から部屋ケース１８内に出入りするための開口窓２５，２６が設けられ、前記収納凹部１７の開口窓２５と部屋ケース１８の開口窓２６とは、部屋ケース１８が収納凹部１７に嵌合保持されたときに、互いに近接して連続するように配置され、
前記飼育ケース本体１内に、飼育ケース本体１内の底部側と前記部屋ケース１８内とを連通する通路４５を形成するパイプ体４１が、設けられ、前記パイプ体４１の通路４５は、前記収納凹部１７の開口窓２５及び部屋ケース１８の開口窓２６を介して、部屋ケース１８内に連通され、
部屋ケース１８を収納凹部１７から取り外したときに、小動物が部屋ケース１８からその開口窓２６を通して外部に出ることができなくなるように、部屋ケース１８の開口窓２６を着脱自在に塞ぐ蓋体２７が設けられ、
部屋ケース１８を収納凹部１７から取り外したときに、小動物が飼育ケース本体１内からパイプ体４１の通路４５を通して収納凹部１７側に出ることができなくなるように、前記蓋体２７は、パイプ体４１の部屋ケース１８側の開口４３を着脱自在に塞ぐように構成されている点にある。
本発明の他の技術的手段は、前記収納凹部１７が、飼育ケース本体１の上面に設けられている点にある。
【０００５】
本発明の他の技術的手段は、前記飼育ケース本体１に回転輪１１が設けられ、前記パイプ体４１の通路４５が、回転輪１１内に連通するように形成されている点にある。
【０００６】
本発明の他の技術的手段は、前記部屋ケース１８に、該部屋ケース１８を持ち運ぶための取っ手２９が設けられている点にある。
【０００７】
本発明の他の技術的手段は、前記部屋ケース１８は、上端が開口した部屋ケース本体２１と、部屋ケース本体２１の上端開口を塞ぐ蓋部材２２とを有している点にある。
【０００８】
【発明の実施の形態】
以下、本発明の実施の形態を図面に基づいて説明する。
図１〜図７において、１はリス、ハムスター等の小動物を飼育するための飼育ケース本体で、この飼育ケース本体１は、上端が開口した皿又は椀状の底壁体２と、下端が開口した皿または椀状の天壁体３と、前後両端が左右方向内方に屈曲した平面視コの字状の左右一対の側壁体４とを備え、これら底壁体２、天壁体３、一対の側壁体４は、透明、半透明、着色透明の合成樹脂により形成されて、箱形組合わされている。一対の側壁体４の前端部間に、金網材により形成した左右一対の開閉扉７が、ヒンジ８を介して開閉自在に設けられており、この開閉扉７から飼育ケース本体１内に小動物やえさ、飲料水等を出し入れできるようになっている。
【０００９】
また、左右一対の側壁体４の後端部間に、金網材により構成した網壁体９が設けられ、この網壁体９で左右一対の側壁体４の後端部間を塞いでいる。
１１は回転輪で、支持部材１２を介して網壁体９の外側に取り付けられている。回転輪１１は、前後方向の横軸廻りに回転時自在に支持されてている。前記網壁体９、支持部材１２及び回転輪１１には、小動物が飼育ケース本体１内から回転輪１１内に出入りするための開口窓１３，１４，１５が設けられている。飼育ケース本体１内から回転輪１１内に入った小動物は、回転輪１１を回転させて、運動不足を解消することができ、このときの回転輪１１の回転数又は回転輪１１の回転による運動距離が表示部１６に表示されるようになっている。
【００１０】
飼育ケース本体１の天壁体３の上面に、下方に向けて腕状に凹んだ収納凹部１７が設けられている。この収納凹部１７に、小動物の居住空間を形成する部屋ケース１８が着脱自在に嵌合保持され、収納凹部１７に収納保持した部屋ケース１８を飼育ケース本体１の外側から取り出すことができるようになっている。部屋ケース１８は、透明、半透明又は着色透明の合成樹脂により形成されている。
前記部屋ケース１８は、上端が開口した腕状の部屋ケース本体２１と、部屋ケース本体２１の上端開口を塞ぐ蓋部材２２とを有している。部屋ケース本体２１と蓋部材２２との間には図示省略のロック機構が設けられており、部屋ケース本体２１に対して蓋部材２２を回動することによって、蓋部材２２を部屋ケース本体２１の上端開口を塞ぐ位置でロックできると共に、他の位置に回動操作することによって、このロックを解除して、蓋部材２２を部屋ケース本体２１から取り外すことができるようになっている。
【００１１】
前記収納凹部１７及び部屋ケース１８の部屋ケース本体２１には、小動物がケース本体１内から部屋ケース１８内に出入りするための開口窓２５，２６が設けられている。
部屋ケース１８の開口窓２６を着脱自在に塞ぐ蓋体２７が設けられている。また、部屋ケース１８の蓋部材２２に、部屋ケース１８を持ち運ぶための取っ手２９が設けられている。
また、収納凹部１７の底部に、第２収納部１９が没入形成されており、この第２収納部１９に前記蓋体２７を収納保持するようになっている。従って、収納凹部１７に嵌合保持した部屋ケース１８の下方に、蓋体２７が収納保持される。
【００１２】
図４に示すように、蓋体２７に径方向に突出した一対の係合片３１が設けられ、部屋ケース本体２１の開口窓２６の開口縁部に、一対の切欠凹部３２が前記一対の係合片３１に対応して設けられ、一対の係合片３１を一対の切欠凹部３２に一致させて蓋体２７を開口窓２６に嵌合して、蓋体２７を回動操作することよって、一対の係合片３１を、開口窓２６の開口縁部内面に係合させて、蓋体２７が部屋ケース本体２１から不測に外れないないようにロックできると共に、蓋体２７を回動操作して一対の係合片３１を一対の切欠凹部３２に一致させることにより、ロックを解除して、蓋体２７を部屋ケース本体２１から取り外せるようになっている。
【００１３】
天壁体３の収納凹部１７の前後に、一対のロック部材３５が縦軸廻りに回動操作可能に保持されている。このロック部材３５は、回動操作するための操作片３６と係止突片３７とを有し、ロック部材３５を操作片３６を摘んで回動操作して、係止突片３７を、図３に鎖線で示す如く、部屋ケース本体１に突設した突出片３８の上側に来るようにセットしておくと、ロック部材３５によって、部屋ケース本体２１が収納凹部１７から取り外し不能になるようにロックすることができると共に、ロック部材３５を回動操作して、係止突片３７を突出片３８から外すことにより、部屋ケース本体２１を収納凹部１７から取り外し可能となるようにロック部材３５によるロックを解除できるようになっている。
【００１４】
なお、部屋ケース１８の蓋部材２２及び飼育ケース本体１の側壁体４等には、図５及び図７に示すように、多数の空気孔４０が形成されている。
前記飼育ケース本体１内の後部中央に、パイプ体４１が縦方向に設けられている。このパイプ体４１は、透明、半透明又は着色透明の合成樹脂により円筒状に形成され、その下端開口４２は、飼育ケース本体１内の底部側で開口し、パイプ体４１の上端開口４３は、前記収納凹部１７及び部屋ケース１８の開口窓２５，２６とに連通しており、パイプ体４１は飼育ケース本体１内の底部側と部屋ケース１８内とを連通する通路４５を形成している。また、パイプ体４１の中途部には円筒状の分岐部４６が後方突出するように設けられており、分岐部４６の後端開口４７は、前記網壁体９、支持部材１２及び回転輪１１の開口窓１３，１４，１５に連通しており、パイプ体４１内の前記通路４５は、飼育ケース本体１内の底部側と回転輪１１内とを連通すると共に、部屋ケース１８内と回転輪１１内とを連通している。
【００１５】
前記蓋体２７は、図２に鎖線で示す如くパイプ体４１にその上端開口４３（開口４２、４７）を着脱自在に塞ぐように装着できるように構成されている。
上記実施の形態によれば、飼育ケース本体１内で飼育しているハムスター、リス等の小動物は、飼育ケース本体１内の底部側からパイプ体４１内の通路４５を登り降りして、飼育ケース本体１内の底部側と、部屋ケース１８内とを行き来し、小動物は部屋ケース１８内を居住空間として利用する。また、パイプ体４１内の通路４５を通って、飼育ケース本体１内の底部側又は部屋ケース１８内から回転輪１１内に入って、回転輪１１を回転させて、運動不足を解消する。このときの回転輪１１の回転数又は回転輪１１の回転による運動距離が表示部１６に表示される。
【００１６】
そして、飼育ケース本体１内を掃除する場合、又は小動物を飼育ケース本体１から出して持ち運びたい場合には、小動物が、部屋ケース１８内に入った状態で、ロック部材３５によるロックを解除した後、取っ手２９を把持して、収納凹部１７から部屋ケース１８を上方に持ち上げて、小動物を部屋ケース１８ごと取り出し、図３に示すように、部屋ケース１８の開口窓２６を、蓋体２７で塞いで該蓋体２７を回動操作することにより蓋体２７が不測に外れないようにロックしておけばよく。これにより、飼育ケース本体１内を小動物がいない状態になり、飼育ケース本体１を安心して掃除することができる。また、このとき、部屋ケース１８内に小動物が入った状態で、取っ手２９を把持して、部屋ケース１８を簡単に持ち運ぶことができ、便利である。
【００１７】
また、部屋ケース１８を掃除等する際には、小動物が、部屋ケース１８から出て、飼育ケース本体１の底部側等にいる状態で、ロック部材３５によるロックを解除した後、取っ手２９を把持して、収納凹部１７から部屋ケース１８を上方に持ち上げて、部屋ケース１８を取り出し、図２に鎖線で示すように、パイプ体４１の上端開口４３を蓋体２７で塞いでおけばよく、飼育ケース本体１内の小動物がパイプ体４１から収納凹部１７側に出てしまうおそれもなくなり、収納凹部１７から取り出した部屋ケース１８を安心して掃除等をすることができ、非常に便利である。
【００１８】
なお、前記実施の形態では、飼育ケース本体１の天壁体２の上面に、収納凹部１７が設けられ、この収納凹部１７に、小動物の居住空間を形成する部屋ケース１８が着脱自在に嵌合保持されているが、これに代え、収納凹部１７を、飼育ケース本体１の側壁体４の外面等に設け、この収納凹部１７に部屋ケース１８を着脱自在に嵌合保持するようにしてもよい。また、飼育ケース本体１に収納凹部１７を設けけることなく、部屋ケース１８を天壁体２の上面又は側壁体４の外面に、添わせて部屋ケース１８を、飼育ケース本体１の外側から着脱できるように設け、この部屋ケース１８に、小動物が飼育ケース本体１内から部屋ケース１８内に出入りするための開口窓２６を設けるようにしてもよい。
【００１９】
また、その他の点についても、本発明は上記実施の形態に限定されるものではない。
【００２０】
【発明の効果】
本発明によれば、居住空間となる部屋ケース１８を、飼育ケース本体１から簡単に取り外して持ち運ぶことができ、飼育ケース本体１を安心して掃除等することができるようになるし、また、小動物が入った状態の部屋ケース１８を簡単に持ち運ぶことができ、便利である。
【図面の簡単な説明】
【図１】本発明の一実施の形態を示す正面断面図である。
【図２】同部屋ケースを取り外した状態の正面断面図である。
【図３】同部屋ケースの正面断面図である。
【図４】同蓋体部分の背面図である。
【図５】同飼育ケースの平面図である。
【図６】同飼育ケースの正面図である。
【図７】同飼育ケースの側面図である。
【符号の説明】
１  飼育ケース本体
１７  収納凹部
１８  部屋ケース
２１  部屋ケース本体
２２  蓋部材
２５  開口窓
２６  開口窓
２７  蓋体
２９  取っ手
４１  パイプ体
４３  上端開口
４５  通路
【図１】
0003668695.tif 000002
【図２】
0003668695.tif 000003
【図３】
0003668695.tif 000004
【図４】
0003668695.tif 000005
【図５】
0003668695.tif 000006
【図６】
0003668695.tif 000007
【図７】
0003668695.tif 000008